(57)【要約】【課題】ＯＦＤＭ復調手段の数を少なくしてコスト低減を図ると共に、ＯＦＤＭ復調手段における時間領域のベースバンド信号の同期を容易にとれるようにする。【解決手段】ＯＦＤＭ変調された高周波信号を受信する４以上のアンテナ１１、２１、５１、６１と、高周波信号に基づく時間領域のベースバンド信号が入力されると共に、周波数領域のベースバンド信号を出力する複数のＯＦＤＭ復調手段３５、７５とを備え、２以上のアンテナを１グループとする複数のアンテナグループ１、５毎にＯＦＤＭ復調手段３５、７５を設け、各ＯＦＤＭ復調手段３５、７５に時間領域のベースバンド信号が入力されるまでの間の信号を第一の移相器によってダイバーシチ合成し、前記周波数領域のベースバンド信号を前記第二の移相器によってダイバーシチ合成した。【選択図】　　　　図１
2004112216.tif 000002
【特許請求の範囲】
【請求項１】
ＯＦＤＭ変調された高周波信号を受信する４以上のアンテナと、前記高周波信号に基づく時間領域のベースバンド信号が入力されると共に、周波数領域のベースバンド信号を出力する複数のＯＦＤＭ復調手段とを備え、２以上の前記アンテナを１グループとする複数のアンテナグループ毎に前記ＯＦＤＭ復調手段を設け、前記各ＯＦＤＭ復調手段の前段側に第一の移相器を設けると共に、前記ＯＦＤＭ復調手段のうち特定のＯＦＤＭ復調手段を除く他のＯＦＤＭ復調手段の後段に第二の移相器を設け、前記各ＯＦＤＭ復調手段に前記時間領域のベースバンド信号が入力されるまでの間の信号を前記第一の移相器によってダイバーシチ合成し、前記周波数領域のベースバンド信号を前記第二の移相器によってダイバーシチ合成したことを特徴とするＯＦＤＭ受信装置。
【請求項２】
前記各アンテナグループにおける特定のアンテナで受信した前記高周波信号に基づく前記時間領域のベースバンド信号と、前記特定のアンテナ以外の他のアンテナで受信した前記高周波信号に基づく前記時間領域のベースバンド信号とを前記第一の移相器によってダイバーシチ合成したことを特徴とする請求項１に記載のＯＦＤＭ受信装置。
【請求項３】
前記高周波信号を中間周波信号に周波数変換する受信部と、前記中間周波信号をデジタル信号に変換して前記時間領域のバースバンド信号を出力するＡ／Ｄ変換器とを前記各アンテナ毎に設け、前記他のアンテナに対応する前記Ａ／Ｄ変換器の次段に前記第一の移相器を設け、前記特定のアンテナに対応する前記Ａ／Ｄ変換器と前記第一の移相器との間に第一の加算器を設けたことを特徴とする請求項２に記載のＯＦＤＭ受信装置。
【請求項４】
前記各アンテナグループにおける特定のアンテナで受信した前記高周波信号に基づく中間周波信号と、前記特定のアンテナ以外の他のアンテナで受信した前記高周波信号に基づく中間周波信号とを前記第一の移相器によってダイバーシチ合成したことを特徴とする請求項１に記載のＯＦＤＭ受信装置。
【請求項５】
前記高周波信号を中間周波信号に周波数変換する受信部を前記各アンテナ毎に設け、前記他のアンテナに対応する前記受信部の次段に前記第一の移相器を設け、前記特定のアンテナに対応する前記受信部と前記第一の移相器との間に第一の加算器を設けたことを特徴とする請求項４に記載のＯＦＤＭ受信装置。
【請求項６】
前記各アンテナグループにおける特定アンテナで受信した前記高周波信号と、前記特定のアンテナ以外の他のアンテナで受信した前記高周波信号とを前記第一の移相器によってダイバーシチ合成したことを特徴とする請求項１に記載のＯＦＤＭ受信装置。
【請求項７】
前記他のアンテナに前記第一の移相器を接続し、前記特定のアンテナと前記第一の移相器との間に第一の加算器を設けたことを特徴とする請求項６に記載のＯＦＤＭ受信装置。
【請求項８】
前記時間領域のベースバンド信号の電力を検出する電力検出手段と前記電力が最大となるように前記第一の移相器の位相設定を制御する位相制御手段とを設けたことを特徴とする請求項３又は５又は７のいずれかに記載のＯＦＤＭ受信装置。
【請求項９】
前記他のＯＦＤＭ復調手段の次段に前記第二の移相器を設け、前記特定のＯＦＤＭ復調手段と前記第二の移相器との間に第二の加算器を設けたことを特徴とする請求項１乃至８のいずれかに記載のＯＦＤＭ受信装置。
【請求項１０】
前記第二の移相器から出力される前記周波数領域のベースバンド信号の位相を前記特定のＯＦＤＭ復調手段から出力される前記周波数領域のベースバンド信号の位相に一致させるように前記第二の移相器の位相設定を制御する位相制御手段を設けたことを特徴とする請求項９に記載のＯＦＤＭ受信装置。
【発明の詳細な説明】
【０００１】
【発明の属する技術分野】
この発明はＯＦＤＭ（Ｏｔｈｏｇｏｎａｌ　Ｆｒｅｑｕｅｎｃｙ　Ｄｉｖｉｓｉｏｎ　Ｍｕｌｔｉｐｌｅｘｉｎｇ　直交周波数分割多重）変調された高周波信号をダイバーシチ合成によって受信するＯＦＤＭ受信装置に関し、特に車載用のテレビジョン受信機に用いて好適なＯＦＤＭ受信装置に関する。
【０００２】
【従来の技術】
従来のＯＦＤＭ受信装置を図４に示す。図４において、ＯＦＤＭ変調された高周波信号を受信する複数のアンテナ（四個の場合で示す）１１１、１２１、１３１、１４１は１例として車両上の互いに離れた場所に設置される。各アンテナ１１１〜１４１には受信部１１２、１２２、１３２、１４２がそれぞれ対応して接続される。各受信部１１２〜１４２は同一の構成を有し、受信すべき高周波信号を中間周波信号に周波数変換する。各受信部１１２〜１４２の次段にはＡ／Ｄ変換器１１３、１２３、１３３、１４３がそれぞれ接続される。各Ａ／Ｄ変換器は中間周波信号をデジタル信号に変換して時間領域のベースバンド信号を出力する。
【０００３】
各Ａ／Ｄ変換器１１３〜１４３に次段には第一乃至第四のＯＦＤＭ復調手段１１４、１２４、１３４、１４４が接続される。各ＯＦＤＭ復調手段１１４〜１４４は同一構成の高速フーリエ変換器を内部に有し、時間領域のベースバンド信号の同期を取ってフーリエ変換することで周波数領域のベースバンド信号に変換する。
【０００４】
上記の四つのＯＦＤＭ復調手段のうち、第一のＯＦＤＭ復調手段１１４の出力端と第二のＯＦＤＭ復調手段１２４の出力端との間には第一の位相制御回路１５１が接続され、第一のＯＦＤＭ復調手段１１４の出力端と第三のＯＦＤＭ復調手段１３４の出力端との間には第二の位相制御手段１５２が接続され、第一のＯＦＤＭ復調手段１１４の出力端と第四のＯＦＤＭ復調手段１４４の出力端との間には第三の位相制御手段１５３が接続される。また、第二のＯＦＤＭ復調手段乃至第四のＯＦＤＭ復調手段の次段にはそれぞれ第一の移相器１５４、第二の移相器１５５、第三の移相器１５６が接続される。
【０００５】
各位相制御手段１５１〜１５３は同一構成を有し、それぞれ第二乃至第四のＯＦＤＭ復調手段１２４、１３４、１４４から出力される周波数領域のベースバンド信号と第一のＯＦＤＭ復調手段１１４から出力される周波数領域のベースバンド信号との位相を比較すると共にその位相差信号をそれぞれ第一乃至第三の移相器１５４〜１５６に出力する。各移相器１５４〜１５６は入力された周波数領域のベースバンド信号の位相をそれぞれの位相差信号によって変えることで第一のＯＦＤＭ復調手段１１４から出力される周波数領域のベースバンド信号の位相と一致した周波数領域のベースバンド信号を出力する。
【０００６】
第一のＯＦＤＭ復調手段１１４から出力された周波数領域のベースバンド信号と第一の移相器１５４から出力された周波数領域のベースバンド信号とは第一の加算器１５７によって加算される。また、第二の移相器１５５から出力された周波数領域のベースバンド信号と第三の移相器１５６から出力された周波数領域のベースバンド信号とは第二の加算器１５８によって加算される。また、第一の加算器１５７の出力端と第二の加算器１５８の出力端との間には第三の加算器１５９が接続される。よって、第三の加算器１５９によって全てのＯＦＤＭ復調手段１１４〜１４４から出力される周波数領域のベースバンド信号が最終的に同一の位相関係で加算される。よって、第三の加算器１５９からは信号電力が最大となるベースバンド信号が得られる。加算されたベースバンド信号に含まれるビットエラーは誤り訂正手段１６０によって訂正され、訂正された周波数領域のベースバンド信号が出力される。
【０００７】
【発明が解決しようとする課題】
従来のＯＦＤＭ受信装置では、例えば搭載した車両の移動にともなって発生するフェージングによって、受信した高周波信号のレベルが大きく低下するアンテナがあると、そのアンテナに対応するＯＦＤＭ復調手段では時間領域のベースバンド信号の同期を正確に取ることが出来なくなる。このような状態ではそのＯＦＤＭ復調手段によって正確にフーリエ変換することも不可能となり、アンテナの数に対応した、誤り訂正するに十分な電力のベースバンド信号が得られない。よって、画像品質等の低下を来すという問題が発生する。
【０００８】
また、高価なＯＦＤＭ復調手段を各アンテナに対応して同じ数設けるので、受信装置がコスト高となる欠点を有していた。
【０００９】
本発明は、ＯＦＤＭ復調手段の数を少なくしてコスト低減を図ると共に、ＯＦＤＭ復調手段における時間領域のベースバンド信号の同期を容易にとれるようにすることを目的とする。
【課題を解決するための手段】
【００１０】
本発明は以上の課題を解決する手段として、ＯＦＤＭ変調された高周波信号を受信する４以上のアンテナと、前記高周波信号に基づく時間領域のベースバンド信号が入力されると共に、周波数領域のベースバンド信号を出力する複数のＯＦＤＭ復調手段とを備え、２以上の前記アンテナを１グループとする複数のアンテナグループ毎に前記ＯＦＤＭ復調手段を設け、前記各ＯＦＤＭ復調手段の前段側に第一の移相器を設けると共に、前記ＯＦＤＭ復調手段のうち特定のＯＦＤＭ復調手段を除く他のＯＦＤＭ復調手段の後段に第二の移相器を設け、前記各ＯＦＤＭ復調手段に前記時間領域のベースバンド信号が入力されるまでの間の信号を前記第一の移相器によってダイバーシチ合成し、前記周波数領域のベースバンド信号を前記第二の移相器によってダイバーシチ合成した。
【００１１】
また、前記各アンテナグループにおける特定のアンテナで受信した前記高周波信号に基づく前記時間領域のベースバンド信号と、前記特定のアンテナ以外の他のアンテナで受信した前記高周波信号に基づく前記時間領域のベースバンド信号とを前記第一の移相器によってダイバーシチ合成した。
【００１２】
また、前記高周波信号を中間周波信号に周波数変換する受信部と、前記中間周波信号をデジタル信号に変換して前記時間領域のバースバンド信号を出力するＡ／Ｄ変換器とを前記各アンテナ毎に設け、前記他のアンテナに対応する前記Ａ／Ｄ変換器の次段に前記第一の移相器を設け、前記特定のアンテナに対応する前記Ａ／Ｄ変換器と前記第一の移相器との間に第一の加算器を設けた。
【００１３】
また、前記各アンテナグループにおける特定のアンテナで受信した前記高周波信号に基づく中間周波信号と、前記特定のアンテナ以外の他のアンテナで受信した前記高周波信号に基づく中間周波信号とを前記第一の移相器によってダイバーシチ合成した。
【００１４】
また、前記高周波信号を中間周波信号に周波数変換する受信部を前記各アンテナ毎に設け、前記他のアンテナに対応する前記受信部の次段に前記第一の移相器を設け、前記特定のアンテナに対応する前記受信部と前記第一の移相器との間に第一の加算器を設けた。
【００１５】
また、前記各アンテナグループにおける特定アンテナで受信した前記高周波信号と、前記特定のアンテナ以外の他のアンテナで受信した前記高周波信号とを前記第一の移相器によってダイバーシチ合成した。
【００１６】
また、前記他のアンテナに前記第一の移相器を接続し、前記特定のアンテナと前記第一の移相器との間に第一の加算器を設けた。
【００１７】
また、前記時間領域のベースバンド信号の電力を検出する電力検出手段と前記電力が最大となるように前記第一の移相器の位相設定を制御する位相制御手段とを設けた。
【００１８】
また、前記他のＯＦＤＭ復調手段の次段に前記第二の移相器を設け、前記特定のＯＦＤＭ復調手段と前記第二の移相器との間に第二の加算器を設けた。
【００１９】
また、前記第二の移相器から出力される前記周波数領域のベースバンド信号の位相を前記特定のＯＦＤＭ復調手段から出力される前記周波数領域のベースバンド信号の位相に一致させるように前記第二の移相器の位相設定を制御する位相制御手段を設けた。
【００２０】
【発明の実施の形態】
以下、本発明のＯＦＤＭ受信装置を図面に従って説明する。図１は第一の実施の形態の構成を示し、図２は第二の実施の形態の構成を示し、図３は第三の実施の形態の構成を示す。
【００２１】
先ず図１において、ＯＦＤＭ変調された高周波信号を受信する複数のアンテナ（四個の場合で示す）１１、２１、５１、６１は１例として車輌上の互いに離れた場所に設置される。ここで、アンテナ１１及び２１とアンテナ５１及び６１とは別々のアンテナグループに属する。第一のアンテナグループ１における一つの特定のアンテナ１１には受信部１２、Ａ／Ｄ変換器１３が順に縦続接続され、特定のアンテナ１１以外の他のアンテナ２１には受信部２２、Ａ／Ｄ変換器２３、第一の移相器３１が順に縦続接続される。Ａ／Ｄ変換器１３の出力端と第一の移相器３１の出力端とには第一の加算器３２が接続される。ここで、特定のアンテナ１１を他のアンテナ２１と区別しているのは、特定のアンテナ１１に対応するＡ／Ｄ変換器１３と第一の加算器３２との間に第一の移相器３１が介在していないためである。
【００２２】
第一の加算器３２の次段には電力検出手段３３と一つの特定のＯＦＤＭ復調手段３５が接続される。また、電力検出手段３２と第一の移相器３１との間に位相制御手段３４が接続される。
【００２３】
一方、第二のアンテナグループ５における一つの特定のアンテナ５１には受信部５２、Ａ／Ｄ変換器５３が順に縦続接続され、特定のアンテナ５１以外の他のアンテナ６１には受信部６２、Ａ／Ｄ変換器６３、第一の移相器７１が順に縦続接続される。Ａ／Ｄ変換器５３の出力端と第一の移相器７１の出力端とには第一の加算器７２が接続される。ここで、特定のアンテナ５１を他のアンテナ６１と区別しているのは、上と同様に、特定のアンテナ５１に対応するＡ／Ｄ変換器５３と第一の加算器７２との間に第一の移相器７１が介在していないためである。
【００２４】
第一の加算器７２の次段には電力検出手段７３と、特定のＯＦＤＭ復調手段３５以外の他のＯＦＤＭ復調手段７５が接続される。また、電力検出手段７３と第一の移相器７１との間に位相制御手段７４が接続される。
【００２５】
特定のＯＦＤＭ復調手段３５の次段には第三の加算器９３が接続される。また、他のＯＦＤＭ復調手段７５の次段には第二の移相器９２が接続され、第二の移相器９２の次段に第三の加算器９３が接続される。ここで、特定のＯＦＤＭ復調手段３５を他のＯＦＤＭ復調手段７５と区別しているのは、特定のＯＦＤＭ復調手段３５と第三の加算器９３との間に第二の移相器９２が介在していないためである。
【００２６】
特定のＯＦＤＭ復調手段３５の出力端と他のＯＦＤＭ復調手段７５の出力端との間には位相制御手段９１が設けられ、その出力端が第二の移相器９２に接続される。
【００２７】
以上の構成において、受信部１２、２２、５２、６２は互いに同一構成を有し受信すべき高周波信号を中間周波信号に周波数変換する。また、Ａ／Ｄ変換器１３、２３、５３、６３も同一構成となっており、中間周波信号をデジタルの時間領域のベースバンド信号に変換する。第一の移相器３１、７１も同一構成である。電力検出手段３３、７３も同一構成であり、時間領域のベースバンド信号の電力を検出する。位相制御回路３４、７４も同一構成であり、それぞれ第一の移相器３１、７１を制御する。
【００２８】
ここで、第一のアンテナグループ１に対応する第一の加算器３２には、特定のアンテナ１１に対応するＡ／Ｄ変換器１３から出力された時間領域のベースバンド信号が直接入力される。一方、他のアンテナ２１に対応するＡ／Ｄ変換器２３から出力された時間領域のベースバンド信号は第一の位相器３１を介して入力される。その際、第一の移相器３１は電力検出手段３３によって検出された信号電力が最大となるように位相制御回路３４によって位相設定される。この結果、第一の移相器３１から第一の加算器３２に入力される時間領域のベースバンド信号の位相が、Ａ／Ｄ変換器１３から直接第一の加算器３２に入力される時間領域のベースバンド信号の位相に一致する。すなわち、時間領域のベースバンド信号の段階でダイバーシチ合成される。よって、特定のＯＦＤＭ復調手段３５には最大電力となった時間領域のベースバンド信号が入力される。
【００２９】
同様に、第二のアンテナグループ５に対応する第一の加算器７２には、特定のアンテナ５１に対応するＡ／Ｄ変換器５３から出力された時間領域のベースバンド信号が直接入力される。一方、他のアンテナ６１に対応するＡ／Ｄ変換器６３から出力された時間領域のベースバンド信号は第一の移相器７１を介して入力される。同様に、第一の移相器７１は電力検出手段７３によって検出された信号電力が最大となるように位相制御回路７４によって位相設定される。この結果、第一の移相器７１から第一の加算器７２に入力される時間領域のベースバンド信号の位相が、Ａ／Ｄ変換器５３から直接第一の加算器７２に入力される時間領域のベースバンド信号の位相に一致する。すなわち、ここでも時間領域のベースバンド信号の段階でダイバーシチ合成される。よって、他のＯＦＤＭ復調手段７５には最大電力となった時間領域のベースバンド信号が入力される。
【００３０】
よって、特定のＯＦＤＭ復調手段３５及び他のＯＦＤＭ復調手段７５では時間領域のベースバンド信号をフーリエ変換するための同期が取り易くなる。そして、各ＯＦＤＭ復調手段３５、７５からはそれぞれ周波数領域のベースバンド信号が出力される。
【００３１】
ここまでの段間では、特定のＯＦＤＭ復調手段３５から出力された周波数領域のベースバンド信号の位相と、他のＯＦＤＭ復調手段７５から出力された周波数領域のベースバンド信号の位相とが一致しているとは限らない。そこで、二つの周波数領域のベースバンド信号を第三の加算器９３に入力する際に、他のＯＦＤＭ復調手段７５から出力された周波数領域のベースバンド信号の位相を第二の移相器９２を介することで特定のＯＦＤＭ復調手段３５から出力される周波数領域のベースバンド信号の位相に一致させる。この位相合わせは二つの周波数領域のベースバンド信号の位相を比較する位相制御手段９１によって制御される。
【００３２】
この結果、第三の加算器９３からは最大電力となった周波数領域のベースバンド信号が出力され、誤り訂正手段９４に入力される。誤り訂正手段９４は周波数領域のベースバンド信号に含まれるビットエラーを訂正し、訂正された周波数領域のベースバンド信号を出力する。
【００３３】
以上の構成では時間領域のベースバンド信号の段階でダイバーシチ合成をするので、特定のＯＦＤＭ復調手段３５と他のＯＦＤＭ復調手段７５との二つを使用するだけで四つのアンテナ１１〜６１に対応できる。従って、コスト低減の効果がある。
なお、アンテナが増加した場合は、増加したアンテナを既存の第一又は第二のアンテナグループ１、５内に取り込むか、又は他のアンテナグループを新設すればよい。
【００３４】
次に、図２においては、第一のアンテナグループ１における特定のアンテナ１１には受信部１２が接続され、他のアンテナ２１には受信部２２、第一の移相器３１が順に縦続接続される。そして、受信部１２の出力端と第一の移相器３１の出力端との間に第一の加算器３２が接続される。第一の加算器３２の次段にはＡ／Ｄ変換器３０が接続される。また、Ａ／Ｄ変換器３０の次段には電力検出手段３３と特定のＯＦＤＭ復調手段３５が接続される。また、電力検出手段３２と第一の移相器３１との間に位相制御手段３４が接続される。
【００３５】
一方、第二のアンテナグループ５における特定のアンテナ５１には受信部５２が接続され、他のアンテナ６１には受信部６２、第一の移相器７１が順に縦続接続される。そして、受信部５２の出力端と第一の移相器７１の出力端との間に第一の加算器７２が接続される。第一の加算器７２の次段にはＡ／Ｄ変換器７０が接続される。また、Ａ／Ｄ変換器７０の次段には電力検出手段７３と他のＯＦＤＭ復調手段７５が接続される。また、電力検出手段７３と第一の移相器７１との間に位相制御手段７４が接続される。
【００３６】
特定のＯＦＤＭ復調手段３５の次段には第三の加算器９３が接続される。また、他のＯＦＤＭ復調手段７５の次段には第二の移相器９２が接続される。そして、第二の移相器９２の次段に第三の加算器９３が接続される。ここで、特定のＯＦＤＭ復調手段３５を他のＯＦＤＭ復調手段７５と区別しているのは、第三の加算器９３との間に第二の移相器９２が介在していないためである。
特定のＯＦＤＭ復調手段３５の出力端と他のＯＦＤＭ復調手段７５の出力端との間には位相制御手段９１が設けられ、その出力端が第二の移相器９２に接続される。
以上の構成において、Ａ／Ｄ変換器３０、７０は互いに同一構成となっており、中間周波信号をデジタルの時間領域のベースバンド信号に変換する。
【００３７】
ここで、第一のアンテナグループ１に対応する第一の加算器３２には、特定のアンテナ１１に対応する受信部１２から出力された中間周波信号が直接入力され、他のアンテナ２１に対応する受信部２２から出力された中間周波信号が第一の位相器３１を介して入力される。その際、第一の移相器３１は電力検出手段３３によって検出された信号電力が最大となるように位相制御回路３４によって位相設定される。この結果、第一の移相器３１から第一の加算器３２に入力される中間周波信号の位相と、受信部１２から第一の加算３２に入力される中間周波信号の位相とが一致する。すなわち、中間周波信号の段階でダイバーシチ合成される。よって、Ａ／Ｄ変換器３０には最大電力となった中間周波信号が入力される。そして、Ａ／Ｄ変換器３０によって変換された時間領域のベースバンド信号も最大電力となり特定のＯＦＤＭ復調手段３５に入力される。
【００３８】
同様に、第二のアンテナグループ５に対応する第一の加算器７２には、特定のアンテナ５１に対応する受信部５２から出力された中間周波信号が直接入力され、他のアンテナ６１に対応する受信部６２から出力された中間周波信号が第一の位相器７１を介して入力される。その際、第一の移相器７１は電力検出手段７３によって検出された信号電力が最大となるように位相制御回路７４によって位相設定される。この結果、第一の移相器７１から第一の加算器７２に入力される中間周波信号の位相と、受信部５２から第二の加算７２に入力される中間周波信号の位相とが一致する。すなわち、中間周波信号の段階でダイバーシチ合成される。よって、Ａ／Ｄ変換器７０には最大電力となった中間周波信号が入力される。そして、Ａ／Ｄ変換器７０によって変換された時間領域のベースバンド信号も最大電力となり他のＯＦＤＭ復調手段７５に入力される。
【００３９】
よって、それぞれのＯＦＤＭ復調手段３５、７５では時間領域のベースバンド信号をフーリエ変換するための同期が取り易くなる。そして、各ＯＦＤＭ復調手段３５、７５からはそれぞれ周波数領域のベースバンド信号が出力される。
【００４０】
特定のＯＦＤＭ復調手段３５及び他のＯＦＤＭ復調手段７５の後段側の構成と動作は図１と同じであり、説明は省略する。図２の構成では中間周波信号の段階でダイバーシチ合成をするので、Ａ／Ｄ変換器の数が半分になる。
【００４１】
図３においては、第一のアンテナグループ１に対応する第一の加算器３２には、特定のアンテナ１１が直接接続され、他のアンテナ２１は第一の移相器３１を介して接続される。そして、第一の加算器３２には受信部１０、Ａ／Ｄ変換器３０が順に従属接続される。また、Ａ／Ｄ変換器３０の次段には電力検出手段３３と特定のＯＦＤＭ復調手段３５が接続される。また、電力検出手段３２と第一の移相器３１との間に位相制御手段３４が接続される。
【００４２】
一方、第二のアンテナグループ５に対応する第一の加算器７２には、特定のアンテナ５１が直接接続され、他のアンテナ６１は第一の移相器７１を介して接続される。そして、第一の加算器７２には受信部５０、Ａ／Ｄ変換器７０が順に従属接続される。また、Ａ／Ｄ変換器７０の次段には電力検出手段７３と他のＯＦＤＭ復調手段７５が接続される。また、電力検出手段７３と第一の移相器７１との間に位相制御手段７４が接続される。
【００４３】
よって、第一の加算器３２には、特定のアンテナ１１で受信した高周波信号が直接入力され、他のアンテナ２１で受信した高周波信号は第一の位相器３１を介して入力される。その際、第一の移相器３１は電力検出手段３３によって検出された信号電力が最大となるように位相制御回路３４によって位相設定される。この結果、第一の移相器３１から第一の加算器３２に入力される高周波波信号の位相と、特定のアンテナ１１から第一の加算器３２に入力される高周波信号の位相とが一致する。すなわち、高周波信号の段階でダイバーシチ合成される。よって、受信部１０には最大電力となった高周波信号が入力される。そして、Ａ／Ｄ変換器３０によって変換された時間領域のベースバンド信号も最大電力となり特定のＯＦＤＭ復調手段３５に入力される。
【００４４】
同様に、第一の加算器７２には、特定のアンテナ５１で受信した高周波信号が直接入力され、他のアンテナ６１で受信した高周波信号は第一の位相器７１を介して入力される。その際、第一の移相器７１は電力検出手段７３によって検出された信号電力が最大となるように位相制御回路７４によって位相設定される。この結果、第一の移相器７１から第一の加算器７２に入力される高周波信号の位相と、特定のアンテナ５１から第一の加算器７２に入力される高周波信号の位相とが一致する。すなわち、高周波信号の段階でダイバーシチ合成される。よって、受信部７０には最大電力となった高周波信号が入力される。そして、Ａ／Ｄ変換器７０によって変換された時間領域のベースバンド信号も最大電力となり特定のＯＦＤＭ復調手段７５に入力される。
【００４５】
よって、それぞれのＯＦＤＭ復調手段３５、７５では時間領域のベースバンド信号をフーリエ変換するための同期が取り易くなる。そして、各ＯＦＤＭ復調手段３５、７５からはそれぞれ周波数領域のベースバンド信号が出力される。
【００４６】
特定のＯＦＤＭ復調手段３５及び他のＯＦＤＭ復調手段７５の後段側の構成と動作は図１と同じであり、説明は省略する。図３の構成では高周波信号の段階でダイバーシチ合成をするので、Ａ／Ｄ変換器のみならず受信部の数も半分になる。
【００４７】
【発明の効果】
以上説明したように、複数のアンテナグループ毎にＯＦＤＭ復調手段を設け、各ＯＦＤＭ復調手段の前段側に第一の移相器を設けると共に、特定のＯＦＤＭ復調手段を除く他のＯＦＤＭ復調手段の後段に第二の移相器を設け、各ＯＦＤＭ復調手段に時間領域のベースバンド信号が入力されるまでの間の信号を第一の移相器によってダイバーシチ合成し、各ＯＦＤＭ復調手段から出力される周波数領域のベースバンド信号を第二の移相器によってダイバーシチ合成したので、ＯＦＤＭ復調手段における時間領域のベースバンド信号の同期を容易にとれると共に、ＯＦＤＭ復調手段の数を少なくしてコスト低減を図ることが出来る。
【００４８】
また、各アンテナグループにおける特定のアンテナで受信した高周波信号に基づく時間領域のベースバンド信号と、特定のアンテナ以外の他のアンテナで受信した高周波信号に基づく時間領域のベースバンド信号とを第一の移相器によってダイバーシチ合成したので、各ＯＦＤＭ復調手段には最大電力の時間領域のベースバンド信号を入力できる。
【００４９】
また、高周波信号を中間周波信号に周波数変換する受信部と、中間周波信号をデジタル信号に変換して時間領域のバースバンド信号を出力するＡ／Ｄ変換器とを各アンテナ毎に設け、他のアンテナに対応するＡ／Ｄ変換器の次段に第一の移相器を設け、特定のアンテナに対応するＡ／Ｄ変換器と第一の移相器との間に第一の加算器を設けたので、時間領域のベースバンド信号をダイバーシチ合成できる。
【００５０】
また、各アンテナグループにおける特定のアンテナで受信した高周波信号に基づく中間周波信号と、特定のアンテナ以外の他のアンテナで受信した高周波信号に基づく中間周波信号とを第一の移相器によってダイバーシチ合成したので、Ａ／Ｄ変換器の数を少なくできる。
【００５１】
また、高周波信号を中間周波信号に周波数変換する受信部を各アンテナ毎に設け、他のアンテナに対応する受信部の次段に第一の移相器を設け、特定のアンテナに対応する受信部と第一の移相器との間に第一の加算器を設けたので、中間周波信号をダイバーシチ合成できる。
【００５２】
また、各アンテナグループにおける特定アンテナで受信した高周波信号と、特定のアンテナ以外の他のアンテナで受信した高周波信号とを第一の移相器によってダイバーシチ合成したので、受信部の数を少なくできる。
【００５３】
また、他のアンテナに第一の移相器を接続し、特定のアンテナと第一の移相器との間に第一の加算器を設けたので、高周波信号をダイバーシチ合成できる。
【００５４】
また、時間領域のベースバンド信号の電力を検出する電力検出手段と電力が最大となるように第一の移相器の位相設定を制御する位相制御手段とを設けたので、時間領域のベースバンド信号の電力を最大にするためのダイバーシチ合成が出来る。
【００５５】
また、他のＯＦＤＭ復調手段の次段に第二の移相器を設け、特定のＯＦＤＭ復調手段と第二の移相器との間に第二の加算器を設けたので、全てのアンテナで受信した高周波信号に関してのダイバーシチ合成ができる。
【００５６】
また、第二の移相器から出力される周波数領域のベースバンド信号の位相を特定のＯＦＤＭ復調手段から出力される周波数領域のベースバンド信号の位相に一致させるように第二の移相器の位相設定を制御する位相制御手段を設けたので、周波数領域のベースバンドをダイバーシチ合成できる。
【図面の簡単な説明】
【図１】本発明のＯＦＤＭ受信装置における第一の実施の形態の構成を示す回路図である。
【図２】本発明のＯＦＤＭ受信装置における第二の実施の形態の構成を示す回路図である。
【図３】本発明のＯＦＤＭ受信装置における第三の実施の形態の構成を示す回路図である。
【図４】従来のＯＦＤＭ受信装置の構成を示す回路図である。
【符号の説明】
１　第一のアンテナグループ
５　第二のアンテナグループ
１１、５１　特定のアンテナ
１０、１２、２２、５０、５２、６２　受信部
１３、２３、３０、５３、６３、７０　Ａ／Ｄ変換器
２１、６１　他のアンテナ
３１、７１　第一の移相器
３２、７２　第一の加算器
３３、７３　電力検出手段
３４、７４　位相制御手段
３５　特定のＯＦＤＭ復調手段
７５　他のＯＦＤＭ復調手段
９１　位相制御手段
９２　第二の移相器
９３　第二の加算器
９４　誤り訂正手段
【図１】
2004112216.tif 000003
【図２】
2004112216.tif 000004
【図３】
2004112216.tif 000005
【図４】
2004112216.tif 000006